(57)【要約】【課題】本発明は、動作に関する設定内容の確認不備を防止し、意図しない動作を回避することが可能な電気機器を提供することを目的とする。【解決手段】本発明に係る電気機器は、動作の開始指示を受け付けるスタートキーが押下されている間、その時点における設定項目の内容を報知し（ステップＳ１０）、スタートキーの押下が解放されたとき、前記動作を開始する（ステップＳ３０）構成としている。また、前記報知完了後は、スタートキーの押下が解放されても、動作を開始しない（ステップＳ２５）構成としている。【選択図】　　　図３
2004066504.tif 000002
【特許請求の範囲】
【請求項１】
動作に関する設定項目があり、該設定項目のパラメータ入力を受け付ける設定入力部と、前記設定項目のパラメータに基づいた前記動作の開始指示を受け付ける開始指示入力部と、を有して成る電気機器において、
前記設定項目の内容を報知する報知部を有し、前記開始指示入力部が押下されている間、その時点における前記設定項目の内容を報知し、前記開始指示入力部の押下が解放されたとき、前記動作を開始することを特徴とする電気機器。
【請求項２】
前記報知完了後は、前記開始指示入力部の押下が解放されても、前記動作を開始しないことを特徴とする請求項１に記載の電気機器。
【請求項３】
動作に関する設定項目があり、該設定項目のパラメータ入力を受け付ける設定入力部と、前記設定項目のパラメータに基づいた前記動作の開始指示を受け付ける開始指示入力部と、を有して成る電気機器において、
前記設定項目の内容を報知する報知部を有し、前記開始指示入力部が押下されたとき、その時点における前記設定項目の内容報知を開始し、前記開始指示入力部が再押下されたとき、前記動作を開始することを特徴とする電気機器。
【請求項４】
前記報知部は、前記設定項目の内容を音声出力する音声報知部であることを特徴とする請求項１〜請求項３のいずれかに記載の電気機器。
【請求項５】
前記報知部は、前記設定項目の内容をテロップ表示或いはスライド表示する画面報知部であることを特徴とする請求項１〜請求項３のいずれかに記載の電気機器。
【請求項６】
前記設定項目が複数ある場合、ユーザの設定頻度が低い内容から順に、前記設定項目の内容を報知することを特徴とする請求項１〜請求項５のいずれかに記載の電気機器。
【請求項７】
ユーザの設定頻度に基づいて、前記報知部における前記設定項目の内容報知順序を逐次更新することを特徴とする請求項６に記載の電気機器。
【請求項８】
初期値から変更された設定項目の内容、或いは現ユーザによって変更された設定項目以外の内容についてのみ報知することを特徴とする請求項１〜請求項７のいずれかに記載の電気機器。
【請求項９】
前記動作は、画像形成動作及び／または画像送信動作であることを特徴とする請求項１〜請求項８のいずれかに記載の電気機器。
【請求項１０】
前記開始指示入力部が押下された時点で、画像形成動作及び／または画像送信動作に先行して、画像読取動作のみを開始することを特徴とする請求項９に記載の電気機器。
【発明の詳細な説明】
【０００１】
【発明の属する技術分野】
本発明は、動作に関する設定項目があり、該設定項目のパラメータ入力を受け付ける設定入力部と、前記設定項目のパラメータに基づいた前記動作の開始指示を受け付ける開始指示入力部と、を有して成る電気機器に関するものである。
【０００２】
【従来の技術】
近年、ＰＰＣ［Ｐｌａｉｎ　Ｐａｐｅｒ　Ｃｏｐｉｅｒ］やファクシミリ、スキャナといった画像形成装置、並びにこれらの機能を併せ持つ複合機が広く普及されている。このような画像形成装置には、その画像形成動作に関する数多くの設定項目（複写枚数や複写倍率、原稿画質など）が設けられているため、各設定項目毎に個別のパラメータ入力部や内容表示部を設けることは困難であった。そこで、上記の画像形成装置は、一般に、液晶ディスプレイや発光ダイオード等から成る操作表示部を有し、該操作表示部の表示内容（階層を有するメニューツリー表示など）をユーザ操作に応じて切り替えることで、その表示内容に従って各設定項目のパラメータ入力や内容確認操作を受け付ける構成とされていた。
【０００３】
【発明が解決しようとする課題】
確かに、上記構成から成る画像形成装置であれば、各設定項目毎に個別のパラメータ入力部や内容表示部を設けることなく、単一の操作表示部のみで、各設定項目のパラメータ入力や内容確認操作を受け付けることができる。
【０００４】
しかしながら、上記構成から成る画像形成装置は、ユーザが操作表示部の表示内容を切り替えない限り、全設定項目の内容を把握することができない構成であった。そのため、ユーザは、画像形成動作の開始を指示する際に操作表示部に表示されていない設定項目の内容（前操作者によって為された設定内容など）を見落として、意図しない画像形成動作を開始させてしまうおそれがあった。
【０００５】
なお、従来の画像形成装置には、画像形成動作の開始指示を受け付けるスタートキー以外に、全設定項目の内容確認（操作表示部における各設定内容のスライド表示など）を行うための設定内容確認キーや、全設定項目の内容を初期化する設定内容リセットキーを有するものもある。しかし、このような構成では、スタートキーを押下する前に設定内容確認キーや設定内容リセットキーを押下しない限り、意図しない画像形成動作を回避することができないため、ユーザは、常に設定内容の事前確認操作や事前初期化操作を意識していなければならなかった。
【０００６】
また、上記構成から成る画像形成装置は、ユーザが視覚健常者であることを前提として設計されていたので、各設定項目の内容確認手段としては、上記のように、目視が必要な操作表示部しか設けられていなかった。そのため、盲目或いは弱視のハンディキャップを持つユーザにとっては、各設定項目の内容確認が不可能或いは極めて困難であった。
【０００７】
本発明は、上記の問題点に鑑み、動作に関する設定内容の確認不備を防止し、意図しない動作を回避することが可能な電気機器を提供することを目的とする。
【０００８】
【課題を解決するための手段】
上記目的を達成するために、本発明に係る電気機器は、動作に関する設定項目があり、該設定項目のパラメータ入力を受け付ける設定入力部と、前記設定項目のパラメータに基づいた前記動作の開始指示を受け付ける開始指示入力部と、を有して成る電気機器において、前記設定項目の内容を報知する報知部を有し、前記開始指示入力部が押下されている間、その時点における前記設定項目の内容を報知し、前記開始指示入力部の押下が解放されたとき、前記動作を開始する構成としている。
【０００９】
なお、上記構成から成る電気機器は、前記報知完了後は、前記開始指示入力部の押下が解放されても、前記動作を開始しない構成にするとよい。
【００１０】
また、本発明に係る電気機器は、動作に関する設定項目があり、該設定項目のパラメータ入力を受け付ける設定入力部と、前記設定項目のパラメータに基づいた前記動作の開始指示を受け付ける開始指示入力部と、を有して成る電気機器において、前記設定項目の内容を報知する報知部を有し、前記開始指示入力部が押下されたとき、その時点における前記設定項目の内容報知を開始し、前記開始指示入力部が再押下されたとき、前記動作を開始する構成にしてもよい。
【００１１】
なお、上記構成から成る電気機器において、前記報知部は、前記設定項目の内容を音声出力する音声報知部、或いは前記設定項目の内容をテロップ表示或いはスライド表示する画面報知部にするとよい。
【００１２】
また、上記構成から成る電気機器は、前記設定項目が複数ある場合、ユーザの設定頻度が低い内容から順に前記設定項目の内容を報知する構成にするとよい。
【００１３】
なお、上記構成から成る電気機器は、ユーザの設定頻度に基づいて、前記報知部における前記設定項目の内容報知順序を逐次更新する構成にしてもよい。
【００１４】
また、上記構成から成る電気機器は、初期値から変更された設定項目の内容、或いは現ユーザによって変更された設定項目以外の内容についてのみ報知する構成にしてもよい。
【００１５】
なお、上記構成から成る電気機器において、前記動作は、画像形成動作及び／または画像送信動作である構成にするとよい。
【００１６】
また、上記構成から成る電気機器は、前記開始指示入力部が押下された時点で画像形成動作及び／または画像送信動作に先行して、画像読取動作のみを開始する構成にするとよい。
【００１７】
【発明の実施の形態】
図１は本発明に係る複合機を用いたネットワークシステムの構成を示すブロック図である。社内ＬＡＮ［Ｌｏｃａｌ　Ａｒｅａ　Ｎｅｔｗｏｒｋ］等で構築されたこのネットワークシステムは、スキャナ機能、ファクシミリ機能、プリンタ機能、及びコピー機能を備えたネットワーク対応の複合機１０と、該複合機１０との間でデータの送受信を行う複数のパーソナルコンピュータ１１ａ〜１１ｎ（以下、ＰＣ１１ａ〜ＰＣ１１ｎと呼ぶ）と、複合機１０と他通信装置（例えば、ファクシミリ装置やＰＣ）との間を接続する公衆回線１２と、を有して成る。
【００１８】
図２は複合機１０の一構成例を示すブロック図である。本図に示すように、本発明に係る複合機１０は、装置全体の動作を制御する中央演算装置２０（以下、ＣＰＵ［Ｃｅｎｔｒａｌ　Ｐｒｏｃｅｓｓｉｎｇ　Ｕｎｉｔ］２０と呼ぶ）と、各種制御プログラム等が格納されたＲＯＭ［Ｒｅａｄ　Ｏｎｌｙ　Ｍｅｍｏｒｙ］２１と、ワーク領域として用いられるＲＡＭ［Ｒａｎｄｏｍ　Ａｃｃｅｓｓ　Ｍｅｍｏｒｙ］２２と、操作手段（テンキーやタッチパネル、画像形成動作や送受信動作の開始指示を受け付けるスタートキーなど）と表示手段（液晶ディスプレイなど）から成る操作表示部２３と、文書や画像を読み取って原稿データに変換するスキャナ２４と、原稿データを文書や画像として記録紙に印刷するプリンタ２５と、送受信データの符号化や復号化を行う圧縮復元部２６と、公衆回線１２を介して行われる外部通信装置との送受信動作を制御する通信制御部２７と、送受信データを電話回線信号に変換するモデム２８と、公衆回線１２に接続される網制御部２９と、ＮＩＣ［Ｎｅｔｗｏｒｋ　Ｉｎｔｅｒｆａｃｅ　Ｃａｒｄ］を備えてＬＡＮ回線と接続されるネットワーク制御部３０と、各種情報を音声出力する音声報知部３１と、を有して成る。
【００１９】
ここで、上記構成から成る複合機１０は、画像形成動作や送受信動作に関する設定項目を有し、操作表示部２３の表示内容（階層を有するメニューツリー表示など）をユーザ操作に応じて切り替えることで、その表示内容に従って各設定項目のパラメータ入力や内容確認操作を受け付ける従来の構成に加え、操作表示部２３に設けられたスタートキーの所定操作に基づいて、各設定項目の内容報知を行う点に特徴を有している。そこで、以下では、本発明の特徴部分である複合機１０の設定内容報知動作について詳細な説明を行うことにする。
【００２０】
まず、複合機１０における設定内容報知動作の第１実施形態について、図３を参照しながら説明する。本図に示すように、画像形成動作や送受信動作の開始を指示するに際して、操作表示部２３に設けられたスタートキーが押下されると、本実施形態の複合機１０では、まずステップＳ５において、該スタートキーの押下が解放されたか否かの判定が行われる。ここで、押下が解放されていないと判定された場合、フローはステップＳ１０に進められ、解放されたと判定された場合は、フローがステップＳ３０に進められる。
【００２１】
ステップＳ５にて、スタートキーの押下が解放されたと判定された場合、ステップＳ３０では、その時点における各設定項目のパラメータに基づいた画像形成動作や送受信動作が開始される。このように、本実施形態の複合機１０では、スタートキーの押下ではなく、スタートキーの解放を動作開始トリガとしているため、ユーザがスタートキーの押下を解放しない限り、画像形成動作や送受信動作が開始されることはない。
【００２２】
なお、スキャナ２４とプリンタ２５及び通信制御部２７を互いに非同期で動作させることができるのであれば、スタートキーの押下時点でスキャナ２４の原稿読取動作のみを先行して進めておき、原稿データをバッファしておく構成としてもよい。このような構成とすることにより、ユーザがスタートキーの押下を解放した時点で画像形成動作や画像送信動作を直ちに開始することが可能となる。
【００２３】
一方、ステップＳ５にて、スタートキーの押下が未だ解放されていないと判定された場合、ステップＳ１０では、音声報知部３１によって、その時点における各設定項目の内容を示す音声ガイダンスが行われる。なお、該音声ガイダンスに必要な音声データは予めＲＯＭ２１に格納されている。
【００２４】
このとき、ステップＳ１５では、該音声ガイダンスが終了したか否かの判定が行われ、音声ガイダンスが終了したと判定された場合は、フローが続くステップＳ２０に進められるが、終了していないと判定された場合には、フローがステップＳ５に戻されて、スタートキーの押下解放判定が繰り返される。すなわち、本実施形態の複合機１０では、スタートキーが押下されている間、音声報知部３１による音声ガイダンスが継続される。
【００２５】
このように、スタートキーが押下されている間、その時点における各設定項目の内容を音声ガイダンスし、スタートキーの押下が解放されたとき、その動作を開始する構成とすることにより、ユーザは、事前確認操作（設定確認キーの押下など）を意識することなく、各設定項目の内容を確認することができる。
【００２６】
特に、本実施形態の複合機１０は、各設定項目の内容を音声報知部３１で音声出力する構成としているため、盲目或いは弱視のハンディキャップを持つユーザであっても、各設定項目の内容確認を容易に行うことができる。
【００２７】
また、ステップＳ１５にて、音声ガイダンスが終了したと判定された場合、フローはステップＳ２０に進められる。ステップ２０では、スタートキーの開放が待機され、スタートキーが開放されると、続くステップＳ２５にて、複合機１０における画像形成動作や送受信動作の開始が一旦非許可とされ、一連の設定内容報知動作が終了される。このような構成とすることにより、ステップＳ１０における音声報知部３１の音声ガイダンスによって、ユーザが設定内容の誤りに気付いた場合、該音声ガイダンスを最後まで聞き終えることで、意図しない画像形成動作や送受信動作を回避することが可能となる。
【００２８】
なお、本構成を採用する場合、ステップＳ１０における音声ガイダンスの末尾には、「これ以降はスタートしないので、スタートキーを離してください。」といった音声や、その旨を示すアラーム音を付加しておくとよい。このような構成とすることにより、ユーザは、音声ガイダンスによって設定内容の誤りに気付いた場合でも、安心してスタートキーの押下を解放することができる。
【００２９】
また、本フローには示していないが、本実施形態の複合機１０では、操作表示部２３に設けられたストップキーを押下することで、音声ガイダンスを最後まで聞くことなくフローをステップＳ２５にスキップさせることが可能である。
【００３０】
次に、複合機１０における設定内容報知動作の第２実施形態について、図４を参照しながら説明する。本図に示すように、画像形成動作や送受信動作の開始を指示するに際して、操作表示部２３に設けられたスタートキーが押下されると、本実施形態の複合機１０では、まずステップＳ３５において、該スタートキーが再押下されたか否かの判定が行われる。ここで、再押下されていないと判定された場合、フローはステップＳ４０に進められ、再押下されたと判定された場合はフローがステップＳ５５に進められる。
【００３１】
ステップＳ３５にて、スタートキーが再押下されたと判定された場合、ステップＳ５５では、その時点における各設定項目のパラメータに基づいた画像形成動作や送受信動作が開始される。このように、本実施形態の複合機１０では、１回目のスタートキー押下ではなく、２回目のスタートキー押下を動作開始トリガとしているため、ユーザがスタートキーを再押下しない限り、画像形成動作や送受信動作が開始されることはない。
【００３２】
なお、スキャナ２４とプリンタ２５及び通信制御部２７を互いに非同期で動作させることができるのであれば、１回目のスタートキー押下時点でスキャナ２４の原稿読取動作のみを先行して進めておき、原稿データをバッファしておく構成としてもよい。このような構成とすることにより、ユーザがスタートキーを再押下した時点で画像形成動作や画像送信動作を直ちに開始することが可能となる。
【００３３】
一方、ステップＳ３５にて、スタートキーが未だ再押下されていないと判定された場合、ステップＳ４０では、音声報知部３１によって、その時点における各設定項目の内容を示す音声ガイダンスが行われる。なお、該音声ガイダンスに必要な音声データは予めＲＯＭ２１に格納されている。
【００３４】
このとき、ステップＳ４５では、該音声ガイダンスが終了したか否かの判定が行われ、音声ガイダンスが終了したと判定された場合は、フローが続くステップＳ５０に進められるが、終了していないと判定された場合には、フローがステップＳ３５に戻されて、スタートキーの再押下判定が繰り返される。すなわち、本実施形態の複合機１０では、スタートキーが再押下されるまでの間、音声報知部３１による音声ガイダンスが継続される。
【００３５】
このように、スタートキーが再押下されるまでの間、その時点における各設定項目の内容を音声ガイダンスし、スタートキーが再押下されたとき、その動作を開始する構成とすることにより、ユーザは、前述の第１実施形態と同様、事前確認操作を意識することなく、各設定項目の内容を確認することができる。また、第１実施形態に比べて、スタートキーを押下し続ける必要がないため、指先等にハンディキャップを有するユーザであっても、各設定項目の内容確認を比較的容易に行うことができる。
【００３６】
また、ステップＳ４５にて、音声ガイダンスが終了したと判定された場合、ステップＳ５０では、複合機１０における画像形成動作や送受信動作の開始が一旦非許可とされ、一連の設定内容報知動作が終了される。このような構成とすることにより、ステップＳ３５における音声報知部３１の音声ガイダンスによって、ユーザが設定内容の誤りに気付いた場合、該音声ガイダンスを最後まで聞き終えることで、意図しない画像形成動作や送受信動作を回避することが可能となる。
【００３７】
また、本フローには示していないが、本実施形態の複合機１０では、操作表示部２３に設けられたストップキーを押下することで、音声ガイダンスを最後まで聞くことなくフローをステップＳ５０にスキップさせることが可能である。
【００３８】
続いて、音声報知部３１の音声ガイダンスにおける各設定項目内容の出力順序についての説明を行う。上記で説明したように、本発明に係る複合機１０では、音声ガイダンス中にスタートキーが解放或いは再押下されると、音声ガイダンスの途中であっても、その時点における各設定項目のパラメータに基づいた画像形成動作や送受信動作が開始される。従って、ユーザの認識度が高いと予想される内容ほど出力順序を後ろに設定しておくことにより、ユーザは、自身の認識する内容が音声ガイダンスされた時点で、以降の音声ガイダンスを聞くことなく、画像形成動作や送受信動作の開始指示に移ることが可能となる。
【００３９】
なお、具体的な出力順序としては、操作表示部２３におけるメニューツリー表示の階層構造がユーザの設定頻度に基づいて設計されていることに鑑みて、深階層の設定内容（ソート設定や原稿画質設定など）から浅階層の設定内容（出力倍率設定や出力枚数設定など）へと順に読み上げられるように設定すればよい。
【００４０】
或いは、ユーザ操作による実際の設定頻度に基づいて、各設定項目の内容報知順序を自動更新する構成としてもよい。このような構成とすることにより、ユーザニーズに沿った音声ガイダンスを行うことが可能となる。
【００４１】
また、初期値から変更された設定項目の内容、或いは現ユーザによって変更された設定項目以外の内容についてのみ、上記の出力順序で音声ガイダンスする設定とすれば、音声ガイダンスの所要時間短縮を図ることが可能となる。特に、本構成は設定項目数が多い場合に効果的である。
【００４２】
なお、上記実施形態では、本発明をネットワーク対応の複合機に適用した場合を例に挙げて説明を行ったが、本発明の適用対象はこれに限定されるものではなく、ＰＰＣやファクシミリ、スキャナといった単機能の画像形成装置の他、動作に関する設定項目があり、該設定項目のパラメータ入力を受け付ける設定入力部と、前記設定項目のパラメータに基づいた前記動作の開始指示を受け付ける開始指示入力部と、を有して成る電気機器（電子レンジやリモートコントローラ等）にも広く適用することが可能である。
【００４３】
また、上記実施形態では、設定項目の内容を報知する報知部として、音声出力による音声報知部を設けた場合を例に挙げて説明を行ったが、該報知部は、テロップ表示やスライド表示を行う画像報知部としてもよい。このような構成とすることにより、耳の不自由なユーザであっても、各設定項目の内容確認を容易に行うことができる。
【００４４】
また、上記実施形態では、スタートキーの押下によって音声ガイダンスを開始し、該音声ガイダンス中にスタートキーが解放或いは再押下されると、その時点における各設定項目のパラメータに基づいた画像形成動作や送受信動作が開始される構成を例に挙げて説明行ったが、本発明の構成はこれに限定されるものではなく、上記実施形態とは逆に、音声ガイダンスの終了を動作開始トリガとし、音声ガイダンス中にスタートキーが解放或いは再押下されると、その画像形成動作や送受信動作の開始を一旦非許可として、一連の設定内容報知動作を終了する構成としてもよい（図５、図６参照）。
【００４５】
【発明の効果】
上記目的を達成するために、本発明に係る電気機器は、動作に関する設定項目があり、該設定項目のパラメータ入力を受け付ける設定入力部と、前記設定項目のパラメータに基づいた前記動作の開始指示を受け付ける開始指示入力部と、を有して成る電気機器において、前記設定項目の内容を報知する報知部を有し、前記開始指示入力部が押下されている間、その時点における前記設定項目の内容を報知し、前記開始指示入力部の押下が解放されたとき、前記動作を開始する構成としている。このような構成とすることにより、ユーザは、事前確認操作を意識することなく、各設定項目の内容を確認することができる。
【００４６】
なお、上記構成から成る電気機器は、前記報知完了後は、前記開始指示入力部の押下が解放されても、前記動作を開始しない構成にするとよい。このような構成とすることにより、報知によってユーザが設定内容の誤りに気付いた場合、該報知の完了を待つことで、意図しない動作を回避することが可能となる。
【００４７】
また、本発明に係る電気機器は、動作に関する設定項目があり、該設定項目のパラメータ入力を受け付ける設定入力部と、前記設定項目のパラメータに基づいた前記動作の開始指示を受け付ける開始指示入力部と、を有して成る電気機器において、前記設定項目の内容を報知する報知部を有し、前記開始指示入力部が押下されたとき、その時点における前記設定項目の内容報知を開始し、前記開始指示入力部が再押下されたとき、前記動作を開始する構成にしてもよい。このような構成とすることにより、ユーザは、前述と同様、事前確認操作を意識することなく、各設定項目の内容を確認することができる。また、上記構成に比べて、開始指示入力部を押下し続ける必要がないため、指先等にハンディキャップを有するユーザであっても、各設定項目の内容確認を比較的容易に行うことができる。
【００４８】
なお、上記構成から成る電気機器において、前記報知部は、前記設定項目の内容を音声出力する音声報知部、或いは前記設定項目の内容をテロップ表示或いはスライド表示する画面報知部にするとよい。このような構成とすることにより、目或いは耳の不自由なユーザであっても、各設定項目の内容確認を容易に行うことができる。
【００４９】
また、上記構成から成る電気機器は、前記設定項目が複数ある場合、ユーザの設定頻度が低い内容から順に前記設定項目の内容を報知する構成にするとよい。このような構成とすることにより、ユーザは、自身の認識する内容が報知された時点で、以降の報知を待つことなく、動作の開始指示に移ることが可能となる。
【００５０】
なお、上記構成から成る電気機器は、ユーザの設定頻度に基づいて、前記報知部における前記設定項目の内容報知順序を逐次更新する構成にしてもよい。このような構成とすることにより、ユーザニーズに沿った報知が可能となる。
【００５１】
また、上記構成から成る電気機器は、初期値から変更された設定項目の内容、或いは現ユーザによって変更された設定項目以外の内容についてのみ報知する構成にしてもよい。このような構成とすることにより、報知動作の所要時間短縮を図ることが可能となる。
【００５２】
なお、上記構成から成る電気機器において、前記動作は画像形成動作及び／または画像送信動作である構成にするとよい。このような構成とすることにより、本発明をＰＰＣやスキャナ、ファクシミリ、或いはそれらの複合機に適用することができる。
【００５３】
また、上記構成から成る電気機器は、前記開始指示入力部が押下された時点で画像形成動作及び／または画像送信動作に先行して、画像読取動作のみを開始する構成にするとよい。このような構成とすることにより、ユーザが開始指示入力部を解放或いは再押下した時点で、画像形成動作や画像送信動作を直ちに開始することが可能となる。
【図面の簡単な説明】
【図１】本発明に係る複合機を用いたネットワークシステムの構成を示すブロック図である。
【図２】複合機１０の一構成例を示すブロック図である。
【図３】複合機１０における設定内容報知動作の第１実施形態を示すフローチャートである。
【図４】複合機１０における設定内容報知動作の第２実施形態を示すフローチャートである。
【図５】複合機１０における設定内容報知動作の第３実施形態を示すフローチャートである。
【図６】複合機１０における設定内容報知動作の第４実施形態を示すフローチャートである。
【符号の説明】
１０　　複合機
１１ａ〜１１ｎ　　パーソナルコンピュータ（ＰＣ）
１２　　公衆回線
２０　　中央演算装置（ＣＰＵ）
２１　　ＲＯＭ
２２　　ＲＡＭ
２３　　操作表示部
２４　　スキャナ
２５　　プリンタ
２６　　圧縮復元部
２７　　通信制御部
２８　　モデム
２９　　網制御部
３０　　ネットワーク制御部
３１　　音声報知部
【図１】
2004066504.tif 000003
【図２】
2004066504.tif 000004
【図３】
2004066504.tif 000005
【図４】
2004066504.tif 000006
【図５】
2004066504.tif 000007
【図６】
2004066504.tif 000008